(57)【要約】【課題】速やかでムラのない光染毛が可能な光染毛装置を提供すること。【解決手段】スイッチ１９の操作により、発光部１７から透光基板１１に対して光が照射される。その光は、透光基板１１の内部からピン５の内部に伝達されて、透光基板１１の下部や、ピン５の側部や先端から（即ち透光部１３から）毛髪に対して光が照射され、光染毛が促進される。透光部１３から光が照射されると、時間がたつにつれて徐々に染毛が行われて毛髪の色が変化する。従って、染毛を行っていると、受光センサ１５で受光される光の状態が変化する。よって、透光部１３から光が照射されてからの受光センサ１５の出力をモニタし、受光量が所定以上に減少したと判断した場合には、その旨を報知する。【選択図】図２
2012055370.tif 000002
【特許請求の範囲】
【請求項１】
光によって染毛する光染毛剤を塗布した毛髪に対して、光を照射して染毛を行う光染毛装置であって、
毛髪に光を照射する発光部を有する発光機構と、
毛髪に対して照射した光の反射光又は透過光を受光する受光センサと、
染毛の状態を報知する報知部と、
を備えるとともに、
前記受光センサによって受光した光の状態に基づいて、染毛の状態を判断し、該染毛の状態の判断の結果を、前記報知部を用いて報知する制御部を備えたことを特徴とする光染毛装置。
【請求項２】
前記発光機構は、板状、又は多数のピンが立設されたブラシ状、又は多数の櫛歯を備えた櫛状であることを特徴とする請求項１に記載の光染毛装置。
【請求項３】
前記毛髪を挟む第１部材と第２部材とを備えるとともに、前記第１部材の毛髪に面する側に、前記発光機構を備えたことを特徴とする請求項１又は２に記載の光染毛装置。
【請求項４】
前記第１部材に対向する第２部材の表面に、前記発光機構から照射された光を反射する反射部を備えたことを特徴とする請求項３に記載の光染毛装置。
【請求項５】
前記制御部によって、染毛の状態を判断した場合には、その染毛の状態に基づいて、前記発光部から照射する光の状態を制御することを特徴とする請求項１〜４のいずれか１項に記載の光染毛装置。
【請求項６】
前記毛髪に面する側に、前記受光センサを複数箇所に配置するとともに、前記発光部を複数箇所に配置し、該受光センサからの信号によって、位置によって染毛の状態にムラがあると判断した場合には、その染毛を均一化するように、各発光部から照射する光の状態を変えるように制御することを特徴とする請求項５に記載の光染毛装置。
【請求項７】
前記毛髪に面する側に、前記発光部を複数箇所に配置し、染毛対象の各位置における染毛の状態が異なるように、前記各発光部から照射する光の状態を変えるように制御することを特徴とする請求項１〜４のいずれか１項に記載の光染毛装置。
【請求項８】
前記毛髪に面する側に、頭皮又は毛髪を撮影する撮像部材を備えたことを特徴とする請求項１〜７のいずれか１項に記載の光染毛装置。
【発明の詳細な説明】
【技術分野】
【０００１】
本発明は、光を利用して染毛する場合に用いられる光染毛装置に関するものである。
【背景技術】
【０００２】
従来より、毛髪を染める（染毛する）方法として、毛髪に酸化性染毛剤等の各種の染毛剤を塗布し、その化学変化による着色を利用して染毛する方法が知られており、近年では、光を用いて染毛する光染毛の技術が開発されている。
【０００３】
この光染毛の技術とは、光によって反応して発色する特定の物質（例えば銀塩）を含む光染毛剤（例えば感光性酸性染毛料）を髪に塗布し、その後、髪に日光や蛍光灯の光（詳しくは紫外線）を当てることにより発色させるものである（特許文献１参照）。
【先行技術文献】
【特許文献】
【０００４】
【特許文献１】特開２００８−６９１３１号公報
【発明の概要】
【発明が解決しようとする課題】
【０００５】
しかしながら、前記特許文献１の技術では、日光や蛍光灯の光によって染毛するので、光の強さやどの方向から光が照射するかなど、光の照射状態が安定せず、なかなか染毛しなかったり染毛にムラがあるという問題があった。
【０００６】
特に、頭部の毛髪のうち、内側の毛髪には光が当たりにくいので、染毛が遅く、染毛のムラも大きいという問題があった。
本発明は、こうした問題に鑑みてなされたものであり、その目的は、速やかでムラのない光染毛が可能な光染毛装置を提供することを目的とする。
【課題を解決するための手段】
【０００７】
（１）請求項１の発明は、光によって染毛する光染毛剤を塗布した毛髪に対して、光を照射して染毛を行う光染毛装置であって、毛髪に光を照射する発光部を有する発光機構と、毛髪に対して照射した光の反射光又は透過光を受光する受光センサと、染毛の状態（染毛の進み具合：染毛の程度）を報知する報知部と、を備えるとともに、前記受光センサによって受光した光の状態に基づいて、染毛の状態を判断し、該染毛の状態の判断の結果を、前記報知部を用いて報知する制御部を備えたことを特徴とする。
【０００８】
本発明では、受光センサによって受光した光の状態の変化に基づいて、染毛の状態を判断し、その染毛の状態の判断の結果を、報知部を用いて、例えば音や音声や光（染毛の光とは異なる報知用の光）や振動などを用いて、使用者等に報知するので、従来に比べて、速やかでムラのない光染毛を実現できる。
【０００９】
（２）請求項２の発明は、前記発光機構は、板状、又は多数のピンが立設されたブラシ状、又は多数の櫛歯を備えた櫛状であることを特徴とする。
本発明は、発光機構の好ましい構造を例示したものである。
【００１０】
（３）請求項３の発明は、前記毛髪を挟む第１部材と第２部材とを備えるとともに、前記第１部材の毛髪に面する側に、前記発光機構を備えたことを特徴とする。
本発明では、毛髪を挟んだ状態で光を照射するので、効率良く光染毛を行うことができる。
【００１１】
（４）請求項４の発明は、前記第１部材に対向する第２部材の表面に、前記発光機構から照射された光を反射する反射部を備えたことを特徴とする。
本発明では、発光機構に対向して光を反射する反射部を設けているので、毛髪に対して効率良く光を照射することができる。よって、一層効果的に光染毛を実施することができる。
【００１２】
（５）請求項５の発明は、前記制御部によって、染毛の状態を判断した場合には、その染毛の状態に基づいて、前記発光部から照射する光の状態を制御することを特徴とする。
本発明では、染毛の状態に応じて光の照射の程度（光量等）を制御するので、ムラの無い染毛を行うことができる。
【００１３】
（６）請求項６の発明は、前記毛髪に面する側に、前記受光センサを複数箇所に配置するとともに、前記発光部を複数箇所に配置し、該受光センサからの信号によって、位置によって染毛の状態にムラがあると判断した場合には、その染毛を均一化するように、各発光部から照射する光の状態を変えるように制御することを特徴とする。
【００１４】
本発明では、染毛の状態が毛髪の位置（例えば頭部における毛髪の位置）によってムラがある場合には、ムラが無いように、位置に応じて光の照射の状態（光量等）を制御するので、一層ムラの無い染毛を行うことができる。
【００１５】
（７）請求項７の発明は、前記毛髪に面する側に、前記発光部を複数箇所に配置し、染毛対象の各位置における染毛の状態が異なるように、前記各発光部から照射する光の状態を変えるように制御することを特徴とする。
【００１６】
本発明では、複数の発光部を用いることにより、例えば頭部における毛髪に対して、所望の位置の毛髪のみを染毛することができる。よって、頭部の毛髪によって、（染毛の程度の違いによる）各種の表示を行うことができる。
【００１７】
（８）請求項８の発明は、前記毛髪に面する側に、頭皮又は毛髪を撮影する撮像部材（例えば光ファイバ）を備えたことを特徴とする。
これにより、頭皮や毛髪の状態を、例えば光ファイバに接続されたカメラやモニタを用いて視認することができる。よって、例えば染毛の程度が十分でない場合には、所望の箇所の光の照射量を増加させることにより、染毛を促進させることが可能である。
【図面の簡単な説明】
【００１８】
【図１】実施例１の光染毛装置を示す斜視図である。
【図２】（ａ）は光染毛装置の光の照射側を示す平面図、（ｂ）は（ａ）の長手方向の断面（Ａ−Ａ断面）を示す説明図、（ｃ）は発光機構の一部の断面を拡大して示す説明図である。
【図３】光染毛装置の電気的構成を示すブロック図である。
【図４】光染毛装置の処理内容を示すフローチャートである。
【図５】実施例２の光染毛装置を示す斜視図である。
【図６】光染毛装置の長手方向に沿った断面を示す説明図である。
【図７】（ａ）実施例３の光染毛装置の長手方向に沿った断面を示す説明図、（ｂ）はその上本体の光の照射面側を示す平面図、（ｃ）はその下本体の受光面側を示す平面図である。
【図８】実施例４の光染毛装置の上本体の光の照射面側を示す平面図である。
【図９】（ａ）は実施例５の光染毛装置の概略構成を示す平面図、（ｂ）は実施例６の光染毛装置の概略構成を示す平面図、（ｃ）は実施例７の光染毛装置の概略構成を示す平面図、（ｄ）は実施例８の光染毛装置の概略構成を示す平面図である。
【発明を実施するための形態】
【００１９】
以下、本発明が適用される実施例について図面を用いて説明する。
【実施例１】
【００２０】
ａ）まず、本実施例の光染毛装置の構成について説明する。
図１に示す様に、本実施例の光染毛装置１は、ブラシ状の装置であり、プラスチック製の柱状の本体３に、髪の毛をすくためのプラスチック製のピン５が多数形成されたものである。
【００２１】
詳しくは、前記本体３は、先端部７が幅の広い板状で、根元側にゆくほど柄部９が細くなる形状をしており、先端部７の一方の側（即ちピン５が形成されている側）には、光の透過が可能な透明のプラスチックからなる板状の透光基板１１が形成されている。
【００２２】
また、前記ピン５も、光の透過が可能な透明のプラスチックからなり、前記透光基板１１の一方の面（外側面）において、透光基板１１に対して垂直に突出するように、透光基板１１と一体に形成されている。
【００２３】
なお、ピン５及び透光基板１１を透光部１３と称し、前記本体３は、透光部１３以外は、光を透過しない材料で構成されている。
更に、図２（ｂ）に示す様に、本体３内において、透光基板１１の根元側（同図左側）の側部に接するように、透光基板１１に対して光を照射する発光部１７が取り付けられている。この発光部１７は、光染毛を行うことができる波長の光（具体的には紫外線を含む光）を照射する装置であり、蛍光灯や紫外線を発生するＬＥＤ等を採用できる。
【００２４】
なお、発光部１７を透光部１３内（例えば透光基板１１内）に配置してもよく、発光部１７及び透光部１３を合わせて発光機構１８と称する。
また、透光基板１１のほぼ中央（図２（ａ）、（ｃ）参照）には、透光基板１１の外部（図２（ｂ）の下方）からの光を受光して、その受光した光の状態（光量の大小）に応じて信号を出力する受光センサ１５が取り付けられている。なお、受光センサ１５は、ピン５の間に配置されている。
【００２５】
更に、光染毛装置１の本体３には、光染毛装置１のオンオフを行うスイッチ１９や、電子音や音声を発生するスピーカ２１や、発光部１７の発光状態（光量）を調節可能な調光つまみ２３が取り付けられている。
【００２６】
なお、図３に示す様に、スイッチ１９、調光つまみ２３、受光センサ１５、発光部１７、スピーカ２１などは、光染毛装置１の動作を制御する電子制御装置２５に接続されている。また、電子制御装置２５には、家庭用電源から電力を供給するためのコード２７（図２（ｂ）参照）が接続されている。
【００２７】
ｂ）次に、本実施例の光染毛装置１の動作について説明する。
光染毛を行う場合には、予め、光染毛を行うことができる周知の光染毛剤（例えば特開２００８−６９１３１号公報に示す様な感光性酸性染毛料）を、頭部の毛髪に塗布する。
【００２８】
そして、予め調光つまみ２３で光量のレベルを設定した後に、光染毛装置１のスイッチ１９を押してから、光染毛装置１のピン５を毛髪中に入れる。
従って、図４に示す様に、このスイッチ１９の操作により（ステップ１００）、発光部１７から透光基板１１に対して光が照射され（ステップ１１０）、その光は、図２（ｃ）に示す様に、透光基板１１の内部からピン５の内部に伝達されて、透光基板１１の下部や、ピン５の側部や先端から（即ち透光部１３から）毛髪に対して光が照射され、光染毛が促進される。
【００２９】
また、透光部１３から光が照射されると、時間がたつにつれて徐々に染毛が行われて毛髪の色が変化する（例えば白髪の染毛が進んで黒色に着色される）。従って、染毛を行っていると、受光センサ１５で受光される光の状態（特に反射光）が変化する。具体的には、白髪から黒髪に変化すると受光量（毛髪での反射光）が減少する。
【００３０】
よって、本実施例では、透光部１３から光が照射されてからの受光センサ１５の出力をモニタし、受光量が所定以上に減少したと判断した場合、即ち染毛が十分に進んだと判断した場合には（ステップ１２０）、その旨を、スピーカ２１を用いて、音や音声によって使用者に報知する（ステップ１３０）。
【００３１】
使用者は、この報知によって、染毛が十分に行われたことが分かるので、その場合には、染毛する位置を変えて、他の箇所の染毛を行うことができる。
なお、受光センサ１５の信号の時間的な変化によって、光染毛の進行の程度が分かるので、例えばなかなか染毛が進まない場合には、発光部１７の光量を上げる制御を行ってもよい。
【００３２】
ｃ）この様に本実施例では、光染毛装置１によって、日光や部屋の照明の状態にかかわらず、速やかに且つ確実に光染毛を行うことができる。
また、本実施例では、光染毛を行う場合には、光染毛の進行の程度に応じて使用者に報知するので、使用者は確実に光染毛を行うことができる。
【００３３】
特に一人で染毛を行う場合には、頭の上部や後部の染毛の程度を確認することは難しいが、本実施例では、音や音声で報知するので、確実に染毛の度合いを把握することができる。
【００３４】
なお、本実施例では、透光基板１１に隣接して１箇所に発光部１７を配置したが、発光部１７を、透光基板１１に隣接して又は透光基板１１内に複数個配置してもよい。
また、透光部１３は、透明なプラスチックで中実な構成とすることができるが、光が照射できれば良いので、内部を中空として、周囲を透明なプラスチックからなる枠体としてもよい（以下同様）。
【００３５】
更に、染毛が十分に進んだと判断された場合には、発光部１７からの光の照射をオフとしたり、その光量を低減してもよい。
或いは、光染毛装置１が毛髪から離された場合には、受光センサ１５で受光する光の状態（光量等）が急速に変化するので、その場合には、光染毛装置１が毛髪から離されたと判断して、発光部１７からの光の照射をオフとしたり、その光量を低減してもよい。
【実施例２】
【００３６】
次に、実施例２について説明するが、前記実施例１と同様な内容の説明は簡略化する。
ａ）まず、本実施例の光染毛装置の構成について説明する。
図５に示す様に、本実施例の光染毛装置３１は、プラスチック製の上本体（第１部材）３３と下本体（第２部材）３５との間で毛髪を挟んで光染毛を行う装置であり、上本体３３と下本体３５とは、光染毛装置３１の端部のヒンジ３６によって、矢印Ａ、Ｂの方向に回動可能とされている。
【００３７】
このうち、前記上本体３３は、先端部３７が幅の広い板状で、根元側にゆくほど柄部３９が細くなる形状をしており、先端部３７の一方の側（両本体３３、３５で挟まれる内側）には、光の透過が可能な透明のプラスチックからなる板状の透光基板４１が配置されている。
【００３８】
また、図６に示す様に、透光基板４１の側部に接して、透光基板４１に対して光を照射する発光部４７が取り付けられている。
なお、前記上本体３３は、投稿基板４１以外は、光を透過しない材料で構成されており、下本体３５も、光を透過しない材料で構成されている。
【００３９】
一方、下本体３５は、上本体３３の内側面を覆う平板状の蓋体であり、この下本体３５には、上本体３３の透光基板４１に対向する表面に、光を反射する反射板４３が配置されている。
【００４０】
この反射板４３の平面形状及び平面寸法は、両本体３３、３５が回動した場合に、反射板４３の表面が透光基板４１と向き合うように、透光基板４１と同様な形状及び寸法に形成されており、その中央には、透光基板４１からの光を受光して、受光した光の状態（光量の大小）に応じて信号を出力する受光センサ４５が取り付けられている。
【００４１】
更に、光染毛装置３１の上本体３３の根元側の下本体３５と対向する面には、上本体３３と下本体３５とが合わさるときにオンとなるスイッチ４９が設けられている。なお、上本体３３には、音声を発生するスピーカ５１も取り付けられている。
【００４２】
そして、受光センサ４５、発光部４７、スイッチ４９、スピーカ５１などは、光染毛装置３１の動作を制御する電子制御装置５３に接続されている。
ｂ）次に、本実施例の光染毛装置３１の動作について説明する。
【００４３】
本実施例では、上本体３３と下本体３５を掴んで、透光基板４１と反射板４３との間に毛髪を挟むようにすると、スイッチ４９がオンとなる。
それによって、発光部４７から透光基板４１に対して光が照射され、その光は、透光基板４１から反射板４３側（即ち毛髪側）に照射される。
【００４４】
そして、透光基板４１から光が照射されると、時間がたつにつれて徐々に染毛が行われて毛髪の色が変化するので、受光センサ４５で受光される光の状態（特に透過光）が変化する。具体的には、白髪から黒髪に変化すると受光量（毛髪での透過光）が減少する。
【００４５】
よって、本実施例では、透光基板４１から光が照射されてからの受光センサ４５の出力をモニタし、受光量が（染毛が進んだ状態を示す程度に）減少したと判断された場合には、その旨を、スピーカ５１を用いて、音や音声で使用者に報知する。
【００４６】
使用者は、この報知によって、染毛が進んだことが分かるので、その場合には、染毛する位置を変えて、他の箇所の染毛を行うことができる。
ｃ）本実施例によっても、前記実施例１と同様な効果を奏するとともに、特に透光基板４１と反射板４３とで毛髪を挟んで、両側から光を照射するので、速やかに且つ確実に光染毛を行うことができる。
【００４７】
また、本実施例では、毛髪を両側から挟んだ状態で光を照射するので、光が光染毛装置３１外に漏れにくく、特に紫外線を多く含む光を使用する場合に好適である。
【実施例３】
【００４８】
次に、実施例３について説明するが、前記実施例２と同様な内容の説明は簡略化する。
本実施例は、前記実施例２の光染毛装置の変形例である。
図７（ａ）に示す様に、本実施例の光染毛装置６１は、前記実施例２と同様に、上本体６３と下本体６５とが回動して毛髪を挟む構造を有している。
【００４９】
本実施例では、図７（ｂ）に示す様に、上本体６３の発光機構６７には、多数の発光部６９が、格子状に縦横に複数列配置されている。
また、図７（ｃ）に示す様に、下本体６５の発光機構６７に面する表面には、長手方向に沿って複数個の受光センサ７１が配置されている。
【００５０】
従って、本実施例の光染毛装置６１を用いる場合には、まず、発光機構６７の全ての透光部６９から光を照射する。これにより、毛髪の光染毛が行われるが、例えば毛髪の量や向きなどによって、位置によっては染毛の進行程度が異なることがある。
【００５１】
この場合、本実施例では、複数の受光センサ７１を配置しているので、各受光センサ７１からの信号に基づいて、染毛の程度の位置によるずれを検知することができる。従って、例えば染毛が進まない部位の発光部６９の光量を増加するように制御することにより、ムラのない染毛が可能となる。
【実施例４】
【００５２】
次に、実施例４について説明するが、前記実施例３と同様な内容の説明は簡略化する。
本実施例は、前記実施例３の光染毛装置の変形例である。
図８に示す様に、本実施例の光染毛装置８１の上本体８３の発光機構８５には、多数の発光部８７が、格子状に縦横に複数列配置されている。
【００５３】
従って、各発光部８７から照射する光の光量を調節することにより、毛髪に模様などを表示することができる。
例えばハート型の模様を形成する位置の発光部８７の周囲の発光部８７を点灯するようにすることにより、ハート型の周囲のみを光染毛することができるので、ハート型を目立つように表示することが可能である。
【００５４】
また、ハート型等の模様を描く際は、点灯する発光部８７を時間に応じて変化させてもよい。
更に、１つの模様を描く間に、一定のメロディー（音の変化）が流れるようにすれば、使用者がそのメロディーに合わせて光染毛装置８１を移動させることによって、好みの大きさ（縦横比）の模様を描くことができる。
【実施例５】
【００５５】
次に、実施例５について説明するが、前記実施例１と同様な内容の説明は簡略化する。
図９（ａ）に示す様に、本実施例の光染毛装置９１は、櫛形状の装置である。
具体的には、光染毛装置９１は、透明なプラスチックからなる本体９３を備えており、その本体９３は、長尺の支持部９５と支持部９５から垂直に伸びる多数の櫛歯９７とから構成されている。
【００５６】
本実施例では、本体９３の支持部９５の内部に発光部９９が配置され、櫛歯９７の間に受光センサ１０１が配置されている。
なお、その他の構成や制御内容は、前記実施例１と同様である。
【００５７】
従って、本実施例の光染毛装置９１を用いて、毛髪をとかすようにして、光染毛を行うことにより、前記実施例１と同様な効果を奏する。
【実施例６】
【００５８】
次に、実施例６について説明するが、前記実施例５と同様な内容の説明は簡略化する。
図９（ｂ）に示す様に、本実施例の光染毛装置１１１は、前記実施例５と同様な櫛形状の装置である。
【００５９】
特に本実施例では、透明なプラスチックからなる各櫛歯１１３の根元に、各櫛歯１１３の先端側に光を照射できる発光部１１５をそれぞれ備えている。また、支持部１１７の長手方向に沿って、櫛歯１１３の間に複数の受光センサ１１９が配置されている。
【００６０】
従って、本実施例の光染毛装置１１１では、受光センサ１１９の受光状態に応じて、各発光部１１５の発光状態を制御することにより、毛髪をムラ無く染毛することができる。
また、所望の位置の染毛の程度を調節することも可能である。
【実施例７】
【００６１】
次に、実施例７について説明するが、前記実施例５と同様な内容の説明は簡略化する。
図９（ｃ）に示す様に、本実施例の光染毛装置１２１は、前記実施例５と同様な櫛形状の装置である。
【００６２】
特に本実施例では、透明なプラスチックからなる各櫛歯１２３の内部に光ファイバ１２５が配置されている。そして、この光ファイバ１２５の先端は櫛歯１２３の先端に向いており、光ファイバ１２３の他端は、光染毛装置１２１とは別体に配置された受像装置１２７に接続されている。
【００６３】
なお、その他の構成や制御は、前記実施例５と同様である。
従って、本実施例では、前記実施例５と同様な効果を奏するとともに、受像装置１２７によって、頭皮や毛髪の状態を観察することができる。
【実施例８】
【００６４】
次に、実施例８について説明するが、前記実施例５と同様な内容の説明は簡略化する。
図９（ｄ）に示す様に、本実施例の光染毛装置１３１は、前記実施例５と同様な櫛形状の装置である。
【００６５】
特に本実施例では、透明なプラスチックからなる各櫛歯１３３の伸びる方向に対応して、支持部１３５内にハーフミラー１３７が配置されているとともに、支持部１３７の根元側に、ハーフミラー１３７からの光を受けるようにＣＣＤカメラ１３９が配置され、このＣＣＤカメラ１３９は、光染毛装置１３１とは別体のモニタ１４１に接続されている。
【００６６】
従って、本実施例では、櫛歯１３３の先端からの光（頭皮や毛髪の状態を示す光）は、ハーフミラー１３７を介してＣＣＤカメラ１３９に受光されるので、前記実施例７の様に、モニタ１４１によって、頭皮や毛髪の状態を観察することができる。
【００６７】
また、ハーフミラー１３７を用いることにより、毛髪に光を送る光路と、毛髪や頭皮の映像を受ける光路とを一部共通化することができる。例えば、光源からの光は、ハーフミラー１３７を透過して髪全体を照らし、櫛歯１３３の先端からの光は、ハーフミラー１３７に反射されてＣＣＤカメラ１３９に入射するように光路を設計することができる。
【００６８】
なお、本発明は、前記実施例に何ら限定されることはなく、本発明の技術的範囲に属する限り種々の形態を採りうる。
（１）例えば前記実施例では、受光センサによって反射光や透過光の変化を検知したが、光染毛によって毛髪の色が変化するので、この色の変化に対応した光の波長の変化を検知するようにしてもよい。
【００６９】
（２）また、光染毛の際に、カメラ等で染毛の程度を観察した場合には、その染毛の程度に応じて、照射する光の状態（光量等）を調節してもよい。
（３）更に、前記実施例では、染毛の程度を音や音声で報知したが、ＬＥＤ等のライトを光染毛装置に設け、各種の色彩の光や光の点滅等によって、染毛の程度を報知してもよい。なお、ライトを設ける位置は、できるだけ使用者の目につく位置が好ましく、例えば柄の先端（コード側）などが好適である。
【００７０】
また、音や光ではなく、振動を与えて、使用者に染毛の程度を報知してもよい。
（４）また、染毛のための光の照射の開始から一定時間経過すると、光の照射を中止（又は低減）してもよい。これにより、過度の光の照射を防止できる。
【符号の説明】
【００７１】
１、３１、６１、８１、９１、１１１、１２１、１３１…光染毛装置
３、９３…本体
５…ピン
１１、４１…透光基板
１３…透光部
１５、４５、７１、１０１、１１９…受光センサ
１７、４７、６９、８７、９９、１１５…発光部
１８、６７、８５…発光機構
２１、５１…スピーカ
２５、５３…電子制御装置
３３、６３、８３…上本体
３５、６５…下本体
４３…反射板
９７、１１３、１２３、１３３…櫛歯
１３７…ハーフミラー
１２５…光ファイバ
【図２】
2012055370.tif 000003
【図３】
2012055370.tif 000004
【図４】
2012055370.tif 000005
【図６】
2012055370.tif 000006
【図７】
2012055370.tif 000007
【図９】
2012055370.tif 000008
【図１】
2012055370.tif 000009
【図５】
2012055370.tif 000010
【図８】
2012055370.tif 000011